(57)【要約】【課題】本発明は、ディンプル錠装置に、錠装置を使用した複数操作者のうち、いかなるものが使用したのかが特定でき、識別できる構造をも導入し、施解錠操作を行うと同時にその施解錠操作を行った操作者を特定して識別できる複数キー使用者の識別システムを提供することを目的とするものである。【解決手段】本発明は、複数キー使用者の識別システムであり、外筒と内筒とキー挿入溝とキー挿入溝に連通する第１摺動孔と第２摺動孔と識別用孔と第１ピンと第２ピンと中間ピンと識別ピンとを有する錠とキーとを備え、挿入されたキーのディンプル孔が浅孔部のときに、第１ピンの基端が遊嵌して、内筒が回動可能とされ、識別ピンの移動量によりキー使用者を識別可能とし、かつ挿入されたキーのディンプル孔が深孔部のときに、第１ピンの基端が遊嵌して、内筒が回動可能とされ、識別ピンの移動量により当該キー使用者を識別可能とした、ことを特徴とする。【選択図】              図１
2006200199.tif 000002
【特許請求の範囲】
【請求項１】
嵌合孔が穿設された外筒と、
前記嵌合孔に回転可能に遊嵌された内筒と、
前記内筒の前後方向に向かって設けられたキー挿入溝と、
前記内筒の径方向に穿設され、前記キー挿入溝に連通する第１摺動孔と、前記第１摺動孔に連通すべく外筒の径方向に設けられた第２摺動孔と該第２摺動孔の配置位置より時計回り方向に向かい離間して設けられた識別用孔と、
前記第１摺動孔に収容される第１ピンと、
前記第２摺動孔に収容され、前記内筒軸心側に付勢される第２ピンと、
前記第１ピンと前記第２ピンとの間に介在された中間ピンと、
前記識別用孔に収容され、前記内筒軸心側に付勢される識別ピンと、
を有する錠と、
前記キー挿入溝に挿入され、前記第１ピン、中間ピン、第２ピンを連通した第１摺動孔及び第２摺動孔長手方向へ移動させて内筒を外筒に対して回転可能とするキーと、
を備え、
挿入されたキーのディンプル孔が浅孔部のときに、該浅孔部に第１ピンの基端が遊嵌して、前記第１ピンと中間ピンとの境で内筒が回動可能とされ、回動時に第１摺動孔と識別用孔が連通して第１ピンに識別ピンが当接してなり、該識別ピンの移動量により当該キー使用者を識別可能とし、
かつ挿入されたキーのディンプル孔が深孔部のときに、該深孔部に第１ピンの基端が遊嵌して、前記中間ピンと第２ピンとの境で内筒が回動可能とされ、回動時に第１摺動孔と識別用孔が連通して中間ピンに識別ピンが当接してなり、該識別ピンの移動量により当該キー使用者を識別可能とした、
ことを特徴とする複数キー使用者の識別システム。
【請求項２】
嵌合孔が穿設された外筒と、
前記嵌合孔に回転可能に遊嵌された内筒と、
前記内筒の前後方向に向かって設けられたキー挿入溝と、
前記内筒の径方向に穿設され、前記キー挿入溝に連通する第１摺動孔と、前記第１摺動孔に連通すべく外筒の径方向に設けられた第２摺動孔と該第２摺動孔の配置位置より時計回り方向に向かい離間して設けられた識別用孔と、
前記第１摺動孔に収容される第１ピンと、
前記第２摺動孔に収容され、前記内筒軸心側に付勢される第２ピンと、
前記第１ピンと前記第２ピンとの間に介在された中間ピンと、
前記識別用孔に収容され、前記内筒軸心側に付勢される識別ピンと、
を有する錠と、
前記キー挿入溝に挿入され、前記第１ピン、中間ピン、第２ピンを連通した第１摺動孔及び第２摺動孔長手方向へ移動させて内筒を外筒に対して回転可能とするキーと、
を備え、
挿入されたキーのディンプル孔が浅孔部のときに、該浅孔部に第１ピンの基端が遊嵌して、前記第１ピンと中間ピンとの境で内筒が回動可能とされ、回動時に第１摺動孔と識別用孔が連通して第１ピンの略臼状凹部をなす先端面に、略弾丸状をなす識別ピンの基端面が遊嵌し、該識別ピンの移動量により当該キー使用者を識別可能とし、
かつ挿入されたキーのディンプル孔が深孔部のときに、該深孔部に第１ピンの基端が遊嵌して、前記中間ピンと第２ピンとの境で内筒が回動可能とされ、回動時に第１摺動孔と識別用孔が連通して中間ピンの平坦面をなす先端面に、略弾丸状をなす識別ピンの基端面が当接し、該識別ピンの移動量により当該キー使用者を識別可能とした、
ことを特徴とする複数キー使用者の識別システム。
【請求項３】
前記中間ピンは、円柱状をなして形成された、
ことを特徴とする請求項１または請求項２記載の複数キー使用者の識別システム。
【発明の詳細な説明】
【技術分野】
【０００１】
本発明は、建物の扉などに取り付けられる錠に係り、特に複数のキー使用者が施解錠操作したときに、該施解錠操作者を特定し、識別することの出来る複数キー使用者の識別システムに関するものである。
【背景技術】
【０００２】
シリンダ錠、特にディンプル錠と称される錠装置は、ディンプルキーを鍵孔に挿入して回動操作することにより、簡単に扉などを施錠 、解錠することが出来る。また、施錠操作をしてキーを抜き取ると、他人による解錠操作が阻止され、特に近年ではピッキングに強い錠装置として非常に重宝されている。
【０００３】
従って近年ディンプル錠は、建物の扉やロッカーの扉など、広い分野に用いられている。
【０００４】
ところで、従来のディンプル錠では、前述のように建物の扉やロッカーの扉などを確実、安全に施解錠することは出来るが、その施解錠できるディンプルキーを複数人が使用した場合、その施解錠した操作者を特定して、識別できる構造をも有する錠装置ではなかった。
【０００５】
すなわち、ディンプル錠を使用して施解錠したときに、当該施解錠した複数人を特定、識別するには、従来別途特定、識別するための別装置を取り付け、これら識別装置によって複数使用者を特定、識別せざるを得ないものであった。
【０００６】
しかしながら、別途識別装置を取り付けることはコストの高騰を招来すると共に、取り付け作業においてかなりの作業手間ともなり、キーの施解錠操作に伴いキー使用者を特定、識別できる錠装置の提案が要請されているとの課題があった。
【特許文献１】特開平５−２７２２６３号公報
【発明の開示】
【発明が解決しようとする課題】
【０００７】
かくして、本発明は、前記の課題に鑑みて創案さらたもので、ディンプル錠装置に、当該錠装置を使用した複数操作者のうち、いかなるものが使用したのかが特定でき、識別できる構造をも導入し、施解錠操作を行うと同時にその施解錠操作を行った操作者を特定して識別できる複数キー使用者の識別システムを提供することを目的とするものである。
【課題を解決するための手段】
【０００８】
本発明による複数キー使用者の識別システムは、
嵌合孔が穿設された外筒と、
前記嵌合孔に回転可能に遊嵌された内筒と、
前記内筒の前後方向に向かって設けられたキー挿入溝と、
前記内筒の径方向に穿設され、前記キー挿入溝に連通する第１摺動孔と、前記第１摺動孔に連通すべく外筒の径方向に設けられた第２摺動孔と該第２摺動孔の配置位置より時計回り方向に向かい離間して設けられた識別用孔と、
前記第１摺動孔に収容される第１ピンと、
前記第２摺動孔に収容され、前記内筒軸心側に付勢される第２ピンと、
前記第１ピンと前記第２ピンとの間に介在された中間ピンと、
前記識別用孔に収容され、前記内筒軸心側に付勢される識別ピンと、
を有する錠と、
前記キー挿入溝に挿入され、前記第１ピン、中間ピン、第２ピンを連通した第１摺動孔及び第２摺動孔長手方向へ移動させて内筒を外筒に対して回転可能とするキーと、
を備え、
挿入されたキーのディンプル孔が浅孔部のときに、該浅孔部に第１ピンの基端が遊嵌して、前記第１ピンと中間ピンとの境で内筒が回動可能とされ、回動時に第１摺動孔と識別用孔が連通して第１ピンに識別ピンが当接してなり、該識別ピンの移動量により当該キー使用者を識別可能とし、
かつ挿入されたキーのディンプル孔が深孔部のときに、該深孔部に第１ピンの基端が遊嵌して、前記中間ピンと第２ピンとの境で内筒が回動可能とされ、回動時に第１摺動孔と識別用孔が連通して中間ピンに識別ピンが当接してなり、該識別ピンの移動量により当該キー使用者を識別可能とした、
ことを特徴とし、
または、
嵌合孔が穿設された外筒と、
前記嵌合孔に回転可能に遊嵌された内筒と、
前記内筒の前後方向に向かって設けられたキー挿入溝と、
前記内筒の径方向に穿設され、前記キー挿入溝に連通する第１摺動孔と、前記第１摺動孔に連通すべく外筒の径方向に設けられた第２摺動孔と該第２摺動孔の配置位置より時計回り方向に向かい離間して設けられた識別用孔と、
前記第１摺動孔に収容される第１ピンと、
前記第２摺動孔に収容され、前記内筒軸心側に付勢される第２ピンと、
前記第１ピンと前記第２ピンとの間に介在された中間ピンと、
前記識別用孔に収容され、前記内筒軸心側に付勢される識別ピンと、
を有する錠と、
前記キー挿入溝に挿入され、前記第１ピン、中間ピン、第２ピンを連通した第１摺動孔及び第２摺動孔長手方向へ移動させて内筒を外筒に対して回転可能とするキーと、
を備え、
挿入されたキーのディンプル孔が浅孔部のときには、該浅孔部に第１ピンの基端が遊嵌して、前記第１ピンと中間ピンとの境で内筒が回動可能とされ、回動時に第１摺動孔と識別用孔が連通して第１ピンの略臼状凹部をなす先端面に、略弾丸状をなす識別ピンの基端面が遊嵌し、該識別ピンの移動量により当該キー使用者を識別可能とし、
かつ挿入されたキーのディンプル孔が深孔部のときには、該深孔部に第１ピンの基端が遊嵌して、前記中間ピンと第２ピンとの境で内筒が回動可能とされ、回動時に第１摺動孔と識別用孔が連通して中間ピンの平坦面をなす先端面に、略弾丸状をなす識別ピンの基端面が当接し、該識別ピンの移動量により当該キー使用者を識別可能とした、
ことを特徴とし、
または、
前記中間ピンは、円柱状をなして形成された、
ことを特徴とするものである。
【発明の効果】
【０００９】
本発明による複数キー使用者の識別システムであれば、
複数キー使用者のうち、ある操作者が施解錠操作を行うと、その施解錠操作と同時にその操作を行った操作者を瞬時に特定して識別できるとの優れた効果を奏する。
【発明を実施するための最良の形態】
【００１０】
以下、各図を参照して本発明の実施の最良の形態を説明する。
まず、図１乃至図４に本発明の概略要部構成が示されている。
【００１１】
本実施例によるディンプル錠装置１は、嵌合孔３が穿設された外筒２と、当該嵌合孔３に回転可能に遊嵌された内筒４とを備えて構成される。
【００１２】
また、前記内筒４の前後方向に向かっては例えば図５に示すキー５が挿入されるキー挿入溝６が設けられている。
【００１３】
さらに、内筒４の径方向には前記キー挿入溝６の幅方向側面に連通する第１摺動孔７が設けられており、該第１摺動孔７と略一直線状態で連通する第２摺動孔８が外筒２の径方向、すなわち図１などに示すように外筒２の径方向でかつ上下方向に向かい延出して設けられている。
【００１４】
また、外筒２に設けられた前記第２摺動孔８の設置位置より時計回り方向へ例えば４５度進んだ位置には前記第２摺動孔７とほぼ同様な孔の形状で形成された識別用孔２０が設けられている。
【００１５】
ここで、図１乃至図４から理解されるように、前記第１摺動孔７には第１ピン９が収容されていると共に、第２摺動孔８にはスプリングなどによって前記内筒４軸心側に付勢力が与えられた第２ピン１０が収容されている。
【００１６】
さらに、前記第１ピン９と第２ピン１０との間には略円柱状をなす中間ピン１１が介在して設けられている。
【００１７】
また、前記識別用孔２０内には略弾丸状をなす識別ピン２１が収容されており、かつ識別ピン２１の頂部には外部に露出して設けられた、ＯＮ，ＯＦＦの接点となる識別部２２が前記識別ピン２１と連続して設けられている。
【００１８】
ここで、図３に示すようにキー５に設けられているディンプル孔１３が比較的深いディンプル孔１３であるときには、第１ピン９及び中間ピン１１が内筒４に設けられた第１摺動孔８内に収納され、前記内筒４は前記中間ピン１１と第２ピン１０との境で回転可能とされてディンプル錠の施解錠操作ができる。
【００１９】
しかるに図１に示すように、キー５に設けられたディンプル孔１３が浅い孔の場合には、第１ピン９のみで第１摺動孔８の深さ方向は一杯になってしまい、第２ピン１０及び中間ピン１１は外筒２の第２摺動孔８内に残った状態、すなわち第１ピン９と中間ピン１１との境でキー５が回転することになり、ディンプル錠の施解錠操作ができる。
【００２０】
このような構造のディンプル錠装置にすれば、１つのディンプル孔の孔深さを浅い孔と深い孔にすることで２種類の施解錠キーが作れる。
【００２１】
そして、本発明では前記のディンプルキーで回動操作をした直後、例えば４５度回転したときに、該キー５を使用した操作者が識別出来る構成が取り入れている。
【００２２】
すなわち、図２、図４から理解されるように、４５度回転した位置の外筒２には前記の識別用孔２０が設けられており、該識別用孔２０には予め識別ピン２１が内筒の軸心方向へ向けて付勢力を有した形で収容されていること既に述べたとおりである。
【００２３】
ここで、キー５に設けられたディンプル孔１３が浅い孔の場合には、図２から理解されるように、内筒４に収容されている第１ピン９の臼状凹部に前記識別ピン２１の弾丸状基端面が遊嵌し、識別ピン２１に接続されている識別部２２が例えば接点２３に接触した状態となり、もって接点２３がＯＮとなるよう構成されている。
【００２４】
また、キー５に設けられたディンプル孔１３が比較的２に深いディンプル孔１３であるときには、第１ピン９及び中間ピン１１が内筒４に設けられた第１摺動孔８内に収納された状態で前記内筒４が回転し、図４から理解されるように、中間ピン１１の上面に前記識別ピン２１の弾丸状基端面が当接し、これにより識別ピン２１に接続されている識別部２２が例えば接点２３から離れ、もって接点２３がＯＦＦとなるよう構成されている。
【００２５】
このように、識別ピン２１の移動量を検出し、その移動量の違いにより、例えば接点２３をＯＮ，ＯＦＦにして複数キー使用者を識別できるよう構成したものである。
ここで、識別の一例を図５、図６、図７に示す。
【００２６】
尚、図５、図６、図７では説明を簡単化するために６個のディンプル孔１３を有したキー５とし、そのディンプル孔１３を浅孔部のものと深孔部のものにすれば６４通りの組み合わせのキー５が出来る。そしてこれら６４通りのキー５で全てディンプル錠装置１が施解錠できるものとなる。
【００２７】
ここで、各ディンプル孔１３（ａ、ｂ、ｃ、ｄ、ｅ、ｆ）に対応する各識別孔２０内に存する識別ピン２１の各識別部２２を構成する各接点２３のＯＮ、ＯＦＦが各ディンプル孔１３（ａ、ｂ、ｃ、ｄ、ｅ、ｆ）毎に識別できることになり、その結果、６個のディンプル孔１３を有したキー５であれば、該キー５を使用して施解錠した６４人の操作者を特定、識別することが出来るものとなる。
【００２８】
例えば図６から理解されるように、各ディンプル孔１３（ａ、ｂ、ｃ、ｄ、ｅ、ｆ）が全て浅孔部のキー５によって施解錠操作したのであれば、対応する識別部の接点２３が全てＯＮとなり、そのキー５の使用者は１男であると特定、識別できる。
【００２９】
また、ｆのディンプル孔１３のみが深孔部のものであれば、そのキー５の使用者は２男であるということが識別できるのである。
【００３０】
尚、実際にはキー５につき、別途施解錠用のディンプル孔１３を複数設けておき、前述の識別用ディンプル孔１３と併用して使用されるものとなり、充分にセキュリティーが図られる。
【図面の簡単な説明】
【００３１】
【図１】本発明による識別システムの概略構成を示す概略構成説明図（その１）である。
【００３２】
【図２】本発明による識別システムの概略構成を示す概略構成説明図（その２）である。
【００３３】
【図３】本発明による識別システムの概略構成を示す概略構成説明図（その３）である。
【００３４】
【図４】本発明による識別システムの概略構成を示す概略構成説明図（その４）である。
【００３５】
【図５】本発明による識別システムにおけるキーの原理構成を説明する構成説明図である。
【００３６】
【図６】本発明による識別システムで識別できる原理を説明する概略説明図（その１）である。
【００３７】
【図７】本発明による識別システムで識別できる原理を説明する概略説明図（その２）である。
【００３８】
【図８】本発明によるディンプル錠装置の施解錠状態を説明する説明図である。
【符号の説明】
【００３９】
１            ディンプル錠装置      
２            外筒      
３            嵌合孔      
４            内筒          
５            キー  
６            キー挿入溝      
７            第１摺動孔          
８            第２摺動孔            
９            第１ピン                  
１０            第２ピン            
１１            中間ピン
１３            ディンプル孔
２０            識別用孔
２１            識別ピン
２２            識別部
２３            接点
【図１】
2006200199.tif 000003
【図２】
2006200199.tif 000004
【図３】
2006200199.tif 000005
【図４】
2006200199.tif 000006
【図５】
2006200199.tif 000007
【図６】
2006200199.tif 000008
【図７】
2006200199.tif 000009
【図８】
2006200199.tif 000010